(57)【特許請求の範囲】
【請求項１】
光源と、前記光源から射出される光を入射する入射面と、入射光を観察者側へと射出する射出面と、入射光を前記射出面へと導く光偏向面とを有する導光体と、前記射出面とは反対側の面から射出する光を反射して前記導光体へと導く反射シートとを少なくとも有する面光源装置と、前記面光源装置の光射出面側に隠蔽構造体を備えてなる照明ユニットであって、
前記導光体は、前記光偏向面に、該導光体に入射された光を前記射出面側へと導く光偏向要素を備え、
前記光偏向要素は、第一の方向に第一のピッチＰ１で略等間隔に配列され、かつ前記第一の方向とは略直交する第二の方向に前記第一のピッチＰ１よりも大きい第二のピッチＰ２で略等間隔に配列してなる二次元配列の第一の光偏向要素群と第二の光偏向要素群を有し、前記第一の光偏向要素群と前記第二の光偏向要素群は、前記第一の方向に互いに前記第一のピッチＰ１の１／２ピッチずれて配置されているとともに前記第二の方向に互いに前記第二のピッチＰ２の１／２ピッチずれて配置され、
前記隠蔽構造体は、第一主面と前記面光源装置の光射出面に対向する第二主面とを備えたフィルム状の部材からなり、
前記第一主面には、前記第一の方向と平行な方向に延在し前記第二の方向に複数配列された第一のレンズと、前記第二の方向と平行な方向に延在し前記第一の方向に複数配列された第二のレンズが互いにクロスするように形成されてなり、さらに、
前記第二のレンズを形成せずに、前記第一のレンズのみを互いに接するように配列したシートを前記面光源装置に載せたときの輝度をＩ１とし、
前記第一のレンズを形成せずに、前記第二のレンズのみを互いに接するように配列したシートを前記面光源装置に載せたときの輝度をＩ２とすると、Ｉ２／Ｉ１が１．１よりも大きい、
ことを特徴とする照明ユニット。
【請求項２】
前記第一のレンズは、断面形状が先端に丸みを帯び、湾曲側面を有する凸レンチキュラーレンズ形状であることを特徴とする請求項１に記載の照明ユニット。
【請求項３】
前記第二のレンズの断面形状がプリズム形状であることを特徴とする請求項１または２に記載の照明ユニット。
【請求項４】
前記第一のレンズは、以下の式１を満たすことを特徴とする請求項１〜３に何れか１項記載の照明ユニット。ただし、αは前記湾曲側面の任意の点における接線と、前記第１主面とのなす角の最大角、ｎ０は前記導光板の屈折率、ｔは前記導光板の厚みである。
【数１】
0005531631.tif 000016
【請求項５】
前記凸レンチキュラーレンズ形状は、以下の式２によって定義されることを特徴とする請求項２に記載の照明ユニット。
ここで式２は、前記第一のレンズの単一レンズピッチを１と正規化した際の式であり、
ｚは前記第一の線状レンズの高さ方向の位置関数、rは前記第一の線状レンズの幅方向位置変数である。
【数２】
0005531631.tif 000017
【請求項６】
前記第一のレンズの単一レンズピッチをＱ１、配列ピッチをＱ１＋Δ１、高さをＨ１とし、
前記第二のレンズの単一レンズピッチをＱ２、配列ピッチをＱ２＋Δ２、高さをＨ２とすると、以下の式３を満たすような、請求項１〜５に何れか１項記載の照明ユニット。
【数３】
0005531631.tif 000018
【請求項７】
前記第一のレンズの単一レンズピッチをＱ１、配列ピッチをＱ１＋Δ１、高さをＨ１とし、
前記第二のレンズの単一レンズピッチをＱ２、配列ピッチをＱ２＋Δ２、高さをＨ２とすると、以下の式４を満たすような、請求項１〜５に何れか１項記載の照明ユニット。
【数４】
0005531631.tif 000019
【請求項８】
前記隠蔽構造体の前記第二主面側に、
１点から略ランバート光を射出する点光源を、該射出光の主軸と該第二主面の法線方向とが略一致するよう配置し、
前記第二主面より入射し、前記第一主面より該第一主面の法線方向に射出される光は、前記第一のレンズの配列方向へ広がる第一の光と、前記第二のレンズの配列方向へ広がる第二の光に変換され、
前記第一の光において、前記点光源の直上輝度をＬ０、ピーク輝度をＬ１としたとき、Ｌ１/Ｌ０が２００％以下であることを特徴とする請求項１〜７に何れか１項記載の照明ユニット。
【請求項９】
前記第二のレンズの任意の位置の傾斜面と前記第一の主面のなす角をβとすると、あらゆるβが以下の式５で規定される範囲内に存在することを特徴とする請求項１〜８に何れか１項記載の照明ユニット。
【数５】
0005531631.tif 000020
【請求項１０】
前記第二のレンズの断面形状が、複数の直線部の組み合わせからなる多角形プリズムであることを特徴とする、請求項１〜９に何れか１項記載の照明ユニット。
【請求項１１】
前記第二のレンズが、傾斜角の異なる三角プリズムの組み合わせからなることを特徴とする、請求項１〜９に何れか１項記載の照明ユニット。
【請求項１２】
前記第二のレンズが、任意の点での傾斜角が４°以上４６°以下、もしくは、５２°以上７２°以下となるような、レンチキュラーレンズ、三角プリズム、多角形プリズム、もしくはそれらの組み合わせからなることを特徴とする、請求項１〜９に何れか１項記載の照明ユニット。
【請求項１３】
請求項１〜１２の何れかに記載の照明ユニットと、さらに一枚以上の集光シート、もしくは偏光分離シート、もしくはその両方を備えることを特徴とする照明装置。
【請求項１４】
請求項１３に記載の照明装置と、
表示画像を規定する画像表示素子と、
を有することを特徴とする表示装置。
【請求項１５】
前記表示素子が、画素単位での透過／遮光に応じて表示画像を規定することを特徴とする請求項１４に記載の表示装置。
【発明の詳細な説明】
【技術分野】
【０００１】
本発明は、主に照明光路制御に使用される隠蔽構造体を備えた照明ユニット、照明装置並びに表示装置に関するものである。
【背景技術】
【０００２】
最近の大型液晶テレビやフラットディスプレイパネル等においては主に、直下型方式の照明装置と、エッヂライト方式の照明装置とが採用されている。直下型方式の照明装置は、光源として複数の冷陰極管やＬＥＤ（Ｌｉｇｈｔ Ｅｍｉｔｔｉｎｇ Ｄｉｏｄｅ）が、パネルの背面に規則的に配置される。液晶パネル等の画像表示素子と光源との間には、光散乱性の強い拡散板が用いられ、光源としての冷陰極管やＬＥＤが視認されないようにしている。
【０００３】
一方、エッヂライト方式の照明装置は、複数の冷陰極管やＬＥＤが、導光板と呼ばれる透光性の板の端面に配置される。一般的に、導光板の射出面（画像表示素子と対向する面）の逆側の面には、該導光板の端面から入射する入射光を効率良く射出面へと導く光偏向面が形成され、光偏向面に形成される光偏向要素としては例えば白色のドットパターンが印刷されたもの、あるいは、レンズ形状が付与されたもの等、効率よく射出面へと導くために様々な光偏向要素が提案されている。
【０００４】
しかしながら、エッヂライト方式は、導光板と呼ばれる透光性の板の端面にのみ光源が配置される構造のため、光源設置数に限界がある。従って液晶表示装置が大型になるにつれ、ディスプレイ全体を明るくすることは難しくなり、輝度を向上させる光学シートの役割が重要となる。
【０００５】
液晶表示画面の輝度を向上させる手段として、米国３Ｍ社の登録商標である輝度向上フィルム（Ｂｒｉｇｈｔｎｅｓｓ Ｅｎｈａｎｃｅｍｅｎｔ Ｆｉｌｍ：ＢＥＦ）がレンズシートとして広く使用されている。
図１６、図１７は下記特許文献１、２に記載された輝度向上フィルムを示すものである。
図１６に示す液晶表示装置２００は、概略で光源１８２と、光源１８２から出射した光を入射させる輝度向上フィルムとしてのＢＥＦ１８５と、液晶パネル１８４とが配設されている。図１７に示すように、ＢＥＦ１８５は、透明基材１８６上に断面三角形状の単位プリズム１８７が一方向に周期的に配列されてなる光学フィルムである。この単位プリズム１８７は光の波長に比較して大きいサイズ（ピッチ）に構成されている。
【０００６】
ＢＥＦ１８５は、“軸外（ｏｆｆ-ａｘｉｓ）”からの光を集光し、この光を観察者に向けて“軸上（ｏｎ-ａｘｉｓ）”に方向転換（ｒｅｄｉｒｅｃｔ）または“リサイクル（ｒｅｃｙｃｌｅ）”させることができる。すなわちＢＥＦ１８５は、液晶表示装置２００の使用時（観察時）に、軸外輝度を低下させることによって軸上輝度を増大させることができる。ここで言う「軸上」とは、図１７において観察者の視野方向Ｆ’に一致する方向であり、一般的には液晶パネル１８４の表示画面に対する法線方向側である。
【０００７】
ＢＥＦ１８５に代表されるレンズシートを用いる際に、透明基材上に拡散フィラーが塗布された拡散フィルムを導光板とレンズシートとの間に配置することによって、導光板から出射される光のムラを抑えることができる。
【０００８】
さらにまた、レンズシートと液晶パネルとの間に拡散フィルムを配置した場合には、プリズムシートに起因する射出光のサイドローブを低減させることができるとともに、規則的に配列されたレンズと液晶画素との間に生じるモアレ干渉縞を防ぐことができる。
【０００９】
ところで、エッヂライト方式において使用される導光板は、上述したとおり、射出面と対向する位置に光偏向面を備え、光偏向面には白色のドットパターンやマイクロレンズ（凹型、凸型）、その他レンズ形状の光偏向要素が形成される。
【００１０】
しかしながら、どのような光偏向要素であっても、規則的に、または規則性を有する擬似不規則的に配列された反射層や構造物で形成されるため、上述のＢＥＦ１８５に代表されるレンズシートとの干渉（モアレ干渉縞）の問題や、光偏向面のムラが視認されるといった問題があり、その解決手段としては、導光板とレンズシートとの間に、特許文献４に示されるような拡散フィルムを使用する方法が一般的である。
【００１１】
また、ＢＥＦ１８５は正面方向の輝度を向上させる最も効率的なレンズシートの１つではあるが、２０インチを超える中型ないし大型の液晶表示装置においては、ＢＥＦ１８５の集光機能だけでは足りていないのが現状である。輝度を更に向上させる方法の一つとして例えばＢＥＦ１８５を２枚クロスに配置する方法が挙げられるが、液晶表示装置の視野角が極端に狭くなるという問題が生じる。ノートパソコンや携帯情報端末等に比べて、テレビ用途としての液晶表示装置においては、十分な視野角、特に水平方向に十分な視野角が必要となる。
【００１２】
従って、光偏向面に形成される光偏向要素を隠蔽するために、集光機能をほとんど有さない拡散シートを配置せねばならず、また液晶表示装置に必要な輝度を得るためには、ＢＥＦ１８５を１枚使用するだけでは足りないという問題がある。現在、この双方の問題を解決する光学シートはなく、このような光学シートの出現が望まれている。
【先行技術文献】
【特許文献】
【００１３】
【特許文献１】特公平１−３７８０１号公報
【特許文献２】特開平６−１０２５０６号公報
【特許文献３】特表平１０−５０６５００号公報
【特許文献４】特開２００４−２９５０８０号公報
【発明の概要】
【発明が解決しようとする課題】
【００１４】
本発明は、上述のような従来の問題を解決するためになされたもので、導光板の光偏向面に形成される光偏向要素を隠蔽し、且つ、画面の水平方向の視野角を極端に狭くすることなく、正面方向の輝度を向上させる隠蔽構造体を備える照明ユニット、照明装置並びに該照明装置を用いた表示装置を提供することを目的とする。
【課題を解決するための手段】
【００１５】
本発明は、上述の問題を解決するために、以下のような手段を講じる。
即ち、第一の発明は、光源と、前記光源から射出される光を入射する入射面と、入射光を観察者側へと射出する射出面と、入射光を前記射出面へと導く光偏向面とを有する導光体と、前記射出面とは反対側の面から射出する光を反射して前記導光体へと導く反射シートとを少なくとも有する面光源装置と、前記面光源装置の光射出面側に隠蔽構造体を備えてなる照明ユニットであって、前記導光体は、前記光偏向面に、該導光体に入射された光を前記射出面側へと導く光偏向要素を備え、前記光偏向要素は、第一の方向に第一のピッチＰ１で略等間隔に配列され、かつ前記第一の方向とは略直交する第二の方向に前記第一のピッチＰ１よりも大きい第二のピッチＰ２で略等間隔に配列してなる二次元配列の第一の光偏向要素群と第二の光偏向要素群を有し、前記第一の光偏向要素群と前記第二の光偏向要素群は、前記第一の方向に互いに前記第一のピッチＰ１の１／２ピッチずれて配置されているとともに前記第二の方向に互いに前記第二のピッチＰ２の１／２ピッチずれて配置され、前記隠蔽構造体は、第一主面と前記面光源装置の光射出面に対向する第二主面とを備えたフィルム状の部材からなり、前記第一主面には、前記第一の方向と平行な方向に延在し前記第二の方向に複数配列された第一のレンズと、前記第二の方向と平行な方向に延在し前記第一の方向に複数配列された第二のレンズが互いにクロスするように形成されてなり、さらに、前記第二のレンズを形成せずに、前記第一のレンズのみを互いに接するように配列したシートを前記面光源装置に載せたときの輝度をＩ１とし、前記第一のレンズを形成せずに、前記第二のレンズのみを互いに接するように配列したシートを前記面光源装置に載せたときの輝度をＩ２とすると、Ｉ２／Ｉ１が１．１よりも大きいことを特徴とする照明ユニットである。
【００１６】
第二の発明は、前記第一のレンズが、断面形状が先端に丸みを帯び、湾曲側面を有する凸レンチキュラーレンズ形状であることを特徴とする照明ユニットである。
【００１７】
第三の発明は、前記第二のレンズの断面形状がプリズム形状であることを特徴とする照明ユニットである。
【００１８】
第四の発明は、前記第一のレンズが、以下の式１を満たすことを特徴とする照明ユニットである。ただし、αは前記湾曲側面の任意の点における接線と、前記第一主面とのなす角の最大角、ｎ０は前記導光板の屈折率、ｔは前記導光板の厚みである。
【００１９】
【数１】
0005531631.tif 000002
【００２０】
第五の発明は、前記凸レンチキュラーレンズ形状は、以下の式２によって定義されることを特徴とする照明ユニットである。
ここで式２は、前記第一のレンズの単一レンズピッチを１と正規化した際の式であり、
ｚは前記第一の線状レンズの高さ方向の位置関数、rは前記第一の線状レンズの幅方向位置変数である。
【００２１】
【数２】
0005531631.tif 000003
【００２２】
第六の発明は、前記第一のレンズの単一レンズピッチをＱ１、配列ピッチをＱ１＋Δ１、高さをＨ１とし、前記第二のレンズの単一レンズピッチをＱ２、配列ピッチをＱ２＋Δ２、高さをＨ２とすると、以下の式３を満たすような、照明ユニットである。
【００２３】
【数３】
0005531631.tif 000004
【００２４】
第七の発明は、前記第一のレンズの単一レンズピッチをＱ１、配列ピッチをＱ１＋Δ１、高さをＨ１とし、前記第二のレンズの単一レンズピッチをＱ２、配列ピッチをＱ２＋Δ２、高さをＨ２とすると、以下の式４を満たすような、照明ユニットである。
【００２５】
【数４】
0005531631.tif 000005
【００２６】
第八の発明は、前記隠蔽構造体の前記第二主面側に、１点から略ランバート光を射出する点光源を、該射出光の主軸と該第二主面の法線方向とが略一致するよう配置し、前記第二主面より入射し、前記第一主面より該第一主面の法線方向に射出される光は、前記第一のレンズの配列方向へ広がる第一の光と、前記第二のレンズの配列方向へ広がる第二の光に変換され、前記第一の光において、前記点光源の直上輝度をＬ０、ピーク輝度をＬ1としたとき、Ｌ1 /Ｌ０ が２００％以下であることを特徴とする照明ユニットである。
【００２７】
第九の発明は、前記第二のレンズの任意の位置の傾斜面と前記第一の主面のなす角をβとすると、あらゆるβが以下の式５で規定される範囲内に存在することを特徴とする照明ユニットである。
【００２８】
【数５】
0005531631.tif 000006
【００２９】
第十の発明は、前記第二のレンズの断面形状が、複数の直線部の組み合わせからなる多角形プリズムであることを特徴とする、照明ユニットである。
【００３０】
第十一の発明は、前記第二のレンズが、傾斜角の異なる三角プリズムの組み合わせからなることを特徴とする、照明ユニットである。
【００３１】
第十二の発明は、前記第二のレンズが、任意の点での傾斜角が４°以上４６°以下、もしくは、５２°以上７２°以下となるような、レンチキュラーレンズ、三角プリズム、多角形プリズム、もしくはそれらの組み合わせからなることを特徴とする、照明ユニットである。
【００３２】
第十三の発明は、請求項１〜１２の何れかに記載の照明ユニットと、さらに一枚以上の集光シート、もしくは偏光分離シート、もしくはその両方を備えることを特徴とする照明装置である。
【００３３】
第十四の発明は、請求項１３に記載の照明装置と、表示画像を規定する画像表示素子と、を有することを特徴とする表示装置である。
【００３４】
第十五の発明は、前記表示素子が、画素単位での透過／遮光に応じて表示画像を規定することを特徴とする表示装置である。
【発明の効果】
【００３５】
上記構成によれば、導光板の光偏向面に形成される光偏向要素を隠蔽し、且つ、画面の水平方向の視野角を極端に狭くすることなく、正面方向の輝度を向上させる隠蔽構造体を備える照明ユニット、照明装置並びに該照明装置を用いた表示装置を提供することができる。
【図面の簡単な説明】
【００３６】
【図１】本発明の実施形態である隠蔽構造体を備える照明ユニット、照明装置、表示装置
【図２】導光板の光偏向面に配列される光偏向要素を表す図
【図３】隠蔽構造体の一例を表す図
【図４】隠蔽構造体の一例を表す図
【図５】隠蔽構造体の第二の方向に平行に切断したときの断面図
【図６】隠蔽構造体から射出する光の進行方向を表す図
【図７】隠蔽構造体の第一のレンズにより線状に伸びた光偏向要素を表す図
【図８】光偏向要素から射出した光の進行方向と輝度を表す図
【図９】第一のレンズの断面形状
【図１０】第一のレンズの断面形状
【図１１】隠蔽構造体の断面図
【図１２】隠蔽構造体の断面図
【図１３】隠蔽構造体により広がった光偏向要素を表す図
【図１４】隠蔽構造体の第二のレンズが多角形である場合の断面図
【図１５】第二のレンズが多角形である場合に、隠蔽構造体を通して広がった光偏向要素を表す図
【図１６】ＢＥＦの配置を表す断面図
【図１７】ＢＥＦの斜視図
【発明を実施するための形態】
【００３７】
以下、本発明の実施の形態を図面に基づいて詳細に説明する。
図１は、本発明の第一の実施の形態における隠蔽構造体８を備える照明ユニット３、及び該照明ユニット３を具備する照明装置２、表示装置１の概略断面図であり、各部位の縮図は実際とは一致しない。
図１に示す表示装置１は、画像表示素子１２と、この画像表示素子１２の光入射側に臨ませて配置された照明装置２を備える。
照明装置２は、照明ユニット３と、一枚以上の光学シート９、偏光分離シート２８を備える。
照明ユニット３は、面光源装置４と、隠蔽構造体８を備える。
面光源装置４は、導光板７、光源６、及び反射板５を含んで構成される。
【００３８】
光源６としては例えば点状光源が挙げられる。点状光源としては、ＬＥＤが挙げられ、ＬＥＤとしては白色ＬＥＤやＲＧＢ−ＬＥＤ等が挙げられる。または光源６はＣＣＦＬに代表される蛍光管であっても良い。図１では、光源６が導光板７の対向する２つの端面に配置された例を示しているが、これに限らず、１つの端面のみに配置する場合、または４つの端面に配置される場合などもあり得る。また導光板７の形状は、図１に示すような平板形状ではなく、楔形状等であっても良い。
【００３９】
本実施の形態では、導光板７の端面が、光源６から射出される光を入射する入射面とされ、導光板７の観察者側Ｆの面が、入射面に入射された入射光を観察者側へと射出する射出面とされている。
導光板７の観察者側Ｆとは反対側の面には、すなわち、出射面と反対側の面には光偏向面１７が形成される。光偏向面１７には、光源６からの入射光を射出面側へと偏向する光偏向要素１８が形成され、光偏向要素１８としては、例えば白色拡散反射ドットが印刷される。また別の例としては、マイクロレンズ形状やプリズム形状等の構造物が挙げられる。
【００４０】
一般的に導光板７は透明板であるため、このような光偏向要素１８は観察者側Ｆより視認される。また、直下型のバックライトとは異なり、導光板７からの射出光はムラが多く、均一な拡散光とは大きく異なる。そのため、エッジライト型の照明装置２においては、一般的に導光板７の上には、この光偏向要素１８を隠蔽するため、また射出光のムラを低減するために、強い拡散性を有する拡散フィルム等が使用される。しかしながら、このような拡散フィルムはほとんど集光性能を有していない。
【００４１】
図２に導光板７の光偏向面１７と、光偏向面１７に形成される光偏向要素１８を示す。図２では光偏向要素１８の形状が円形で示されているがこれに限らず、楕円形状やプリズム形状であっても良い。
光偏向要素１８は、第一の方向にＰ１のピッチで配列され、第二の方向にＰ２のピッチで配列される二次元配置とされる。ここで第一の方向、及び第二の方向は、表示装置１の垂直視野、及び水平視野に対して任意に選択することが出来る。
【００４２】
本発明の照明ユニット３においては図３もしくは図４に示されるような隠蔽構造体８が配置される。隠蔽構造体８はフィルム状の部材で、透光性の基材１３の第１主面１３ａ上に、第一の方向に平行な方向に延在し、第二の方向に複数配列する第一のレンズ１４が配置され、さらに、第二の方向に平行な方向に延在し、第一の方向に複数配列する第二のレンズ１５が配置され、第一のレンズ１４と第二のレンズ１５は互いにクロスするように形成される。図３は、第一のレンズ１４を凸レンチキュラーレンズとし、第二のレンズ１５をプリズム形状とした場合の模式図である。図４は、第一のレンズ１４が凸レンチキュラーレンズで、第二のレンズ１５も凸レンチキュラーレンズとした場合の模式図である。
【００４３】
図５は図３もしくは図４で示されるような隠蔽構造体８を第二の方向に平行に切断したときの断面図である。第一のレンズ１４の湾曲側面の任意の点における接線と、第１主面１３ａとのなす角は、第一のレンズ１４の頂部から第１主面１３ａに至るにつれ大きくなる。従って第１主面１３ａと接する点における接線と、第１主面１３ａとのなす角が最も大きな角度となり、この角度をαとしたとき、角度αは以下の式１で定義される。ここでｎ０は導光板７の屈折率、ｎは第一のレンズ１４の屈折率であり、ｔは導光板７の厚さ、Ｐ２は上述した光偏向要素１８が第２の方向に配列されるピッチである。第一のレンズ１４が延在する方向と、光偏向要素１８が配列される第一の方向とは略平行である。
【００４４】
【数６】
0005531631.tif 000007
【００４５】
式１について、図６を用いて説明する。
導光板７の光偏向面１７に形成される光偏向要素１８が第二の方向にＰ２のピッチで配列される。光偏向要素１８によって進路を変えられた光のうち、該光偏向要素１８からＰ２／２だけ離れた距離で導光板７の光射出面に到達し、射出される光をＬとしたとき、隠蔽構造体８の第二主面への入射角度θｉは、導光板の屈折率ｎ０と厚さｔ、及びＰ２／２より求められる。
式１は、入射角θｉで入射した光を正面方向に屈折させるために必要な第一のレンズ１４の接線角度αを規定している。
【００４６】
第一のレンズ１４は、丸みを帯びた頂部と湾曲側面とで形成される。頂部の接線角度は０度であり、第１主面１３ａとの接点における接線角度はαであり、頂部から第１主面１３ａに至るにつれ、接線角度は大きくなる。
従って第一のレンズ１４が多数配置された隠蔽構造体８の第２主面１３ｂ側から、略ランバート光を射出する点光源を設置したとき、隠蔽構造体８の第１主面１３ａ側から点光源を観察すると、線状光源として視認される。
導光板７の光偏向面１７に形成される光偏向要素１８であらゆる方向に進路を変更された光のうち、導光板７の光射出面より射出される光は、その配光分布はランバート光とは異なるが、点光源と同義として扱うことが出来る。すなわち、例えば図２で示されたような円形の光偏向要素１８の各々を点光源としてみたとき、導光板７の光射出面側に第一のレンズ１４が配置された隠蔽構造体８を配し、第１主面１３ａ側から観察すると、円形の光偏向要素１８が線状に広がって見える。このとき、第一のレンズ１４の第１主面１３ａとの接点における接線角度αが式１を満たしていると、図７に示されるように線状に広がって見える隣り合う光偏向要素１８が重なるため、光偏向要素１８の隠蔽性が向上する。
【００４７】
光偏向要素１８の隠蔽性を向上させる第一のレンズ１４としては、図８に示されるように、隠蔽構造体８の第二主面１３ｂ側に、１点から略ランバート光を射出する点光源を、該射出光の主軸と該第二主面１３ｂの法線方向とが略一致するよう配置したとき、第一主面１３ａより該第一主面１３ａの法線方向に射出される光は、点光源の直上を中心に、第一のレンズ１４の配列方向に広がる線状光に変換される。ここで、図８では第一のレンズ１４によって、第一主面１３ａの法線方向に屈折される光のみを図示している。図示されていないが、第一のレンズ１４からは、第一主面１３ａに対して法線方向のみならず、斜め方向へ射出される光も存在する。
ここで、図８に示されるように、線状光のピーク輝度位置が、点光源の直上となる（図中実線で示される輝度分布）ような第一のレンズ１４であることが望ましい。または、線状光のピーク輝度位置が、点光源の直上以外に存在した場合（図中点線で示される輝度分布）には、点光源の直上輝度をＬ０、ピーク輝度をＬ１としたとき、Ｌ１／Ｌ０が２００％以下となる第一のレンズ１４であることが望ましい。
【００４８】
ピーク輝度位置が点光源の直上に存在せず、且つＬ１／Ｌ０が２００％を超えるような第一のレンズ１４は、点光源を線状光源に広げても、ピーク輝度位置が非常に強く光って見える。その極端の例としては、三角プリズムレンズであるが、第１主面１３ａに三角プリズムレンズを配したレンズシートの第２主面１３ｂ側に上述と同様に点光源を配し、第１主面側から観察すると、点光源が２つの点光源に分割されるのみである。これでは隠蔽性は向上しない。
従って、点光源の直上にピーク輝度を有するか、点光源の直上以外にピーク輝度が存在する場合は、ピーク輝度と点光源の直上輝度との比が２００％以下となるように、線状に光が広がる第一のレンズ１４であることが、隠蔽性を向上させるため望ましい。
【００４９】
上述したような効果が得られる第一のレンズ１４は、以下の式２で定義される。
ここで式２は、第一のレンズ１４の単一レンズピッチを１と正規化した際の式であり、図９に示されるように、ｚは第一のレンズ１４の高さ方向の位置関数、rは幅方向位置変数である。図９において、斜線部が凸レンチキュラーレンズの形状と定義される。ここで、微調整として、式２で定義された形状の第一のレンズ１４を、レンズの高さ方向、或いは幅方向に拡大、または縮小しても良い。各係数ｋ、１／Ｒ、Ａ、Ｂ、Ｃの値が設定値に入らない場合、上述したような点光源を線状化する効果が得られず、または集光効果が低くなるため望ましくない。
【００５０】
【数７】
0005531631.tif 000008
【００５１】
第一のレンズ１４の形状について、図１０を用いて詳細に説明する。
図１０は第一のレンズ１４の断面詳細図である。単一レンズピッチがＱ１であり、高さがＨ１、第１主面１３ａとの接角α、及び頂部フィッティング曲率半径Ｒ１で表される。ここで頂部フィッティング曲率半径Ｒ１とは、非球面形状である第一のレンズ１４の頂部の曲率半径を表し、単一レンズピッチＱ１に対して１０％の領域における曲率半径とここでは定義する。
このとき、頂部フィッティング曲率半径Ｒ１は、単一レンズピッチＱ１に対して、１／２未満であることが望ましい。すなわち、球面レンズに比べて頂部の曲率半径が小さくなる非球面レンズ形状であることが望ましい。集光性能が高まるためである。
一方で頂部の曲率半径を小さくし過ぎると、非常に単位レンズ高さＨ１が大きな非球面形状となり、また隠蔽性能が低下するため望ましくない。頂部フィッティング曲率半径Ｒ１は、単一レンズピッチＱ１に対して０．１以上であることが望ましい。また単位レンズ高さＨ１は、単一レンズピッチＱ１に対して、０．３以上１．０未満であることが望ましい。０．３より低いと、集光性能が低く、一方で１．０以上の場合、集光性能のみならず隠蔽性能も低くなるためである。
【００５２】
第二のレンズ１５は、隠蔽構造体８の輝度を高めるために形成される。第二のレンズ１５は、必ずしもプリズム形状である必要はなく、レンチキュラー形状のレンズを用いても良い。つまり、第二のレンズ１５は、輝度上昇作用のあるものであれば、任意の形状のレンズを用いることができる。第一のレンズ１４は、第二の方向に拡散した光の集光効果を有するが、第一の方向には構造が存在しないため、第一の方向へ拡散した光を集光することができない。そこで、第二のレンズ１５を、第一のレンズ１４の配列方向と垂直に配列することで、第一のレンズ１４では集光できない第一の方向へ拡散した光を第二のレンズ１５により集光できるため、第一のレンズ１４単体の場合と比べて輝度を上昇させることが可能になる。
【００５３】
但し、ここでの第一のレンズ１４と第二のレンズ１５は、集光特性に関して以下の条件を満たしていることが必要である。
つまり、隠蔽構造体８の第二のレンズ１５を配列しないで第一のレンズ１４のみを互いに接するように配列したシートを作製し、面光源装置４の上にこのシートを１枚だけ搭載したときの輝度をＩ１とし、逆に隠蔽構造体の第一のレンズ１４を配列しないで第二のレンズ１５のみを互いに接するように配列したシートを作製し、このシートを１枚だけ搭載した面光源装置４の輝度をＩ２とすると、Ｉ２/Ｉ１が１．１よりも大きいことが必要である。
上記条件を満たさない場合、つまりＩ２/Ｉ１が１．１以下の場合、第二のレンズ１５の集光効果が足りないため、第一のレンズ１４と第二のレンズ１５をクロスさせたときに、第二のレンズ１５による輝度上昇効果が小さくなり、第二のレンズ１５を形成する必要性が失われるからである。
【００５４】
輝度上昇作用の高いレンズとして代表的なものは、頂角が９０°のプリズムである。ところが、第二のレンズ１５がプリズム形状の場合、先に説明したように、光偏向要素１８を点として分割するだけなので、第二のレンズ１５がレンチキュラーレンズの場合と比べて隠蔽性が劣る。
しかし、第二のレンズ１５をプリズム形状としても、以下で説明するように、第一のレンズ１４と第二のレンズ１５の配列ピッチや高さを制御することで、隠蔽性を大きく悪化させること無く、輝度を上昇させることが可能になる。
【００５５】
図１１（Ａ）は、第一のレンズ１４と、第一のレンズ１４の間に第二のレンズ１５が直交するように配列した場合の隠蔽構造体８の斜視図、図１１（Ｂ）は、第二の方向に平行に切断したときの断面図である。
【００５６】
第一のレンズ１４の単一レンズピッチをＱ１、配列ピッチをＱ１＋Δ１、第一のレンズの高さをＨ１、第二のレンズ１５の単一レンズピッチをＱ２、配列ピッチをＱ２＋Δ２、第二のレンズの高さをＨ２としたとき、以下の式３を満たすように各パラメータを設定することで、輝度上昇効果と隠蔽性のどちらかを悪化させることなく、両立させることが可能になる。
【００５７】
【数８】
0005531631.tif 000009
【００５８】
式３は、図１１に示すように、第一のレンズ１４の間隙部分に第二のレンズ１５を配列する場合に、輝度と隠蔽性の両方を両立させるための必要条件である。第一のレンズ１４の間隙の距離Δ１が式３で指定する範囲内にあれば、第一のレンズ１４が突出する面積を適度に大きくすることが可能であるため、第一のレンズ１４による隠蔽効果が十分に発揮される。また、第二のレンズ１５の突出する面積が、第一のレンズ１４の突出する面積と比べて相対的に小さいので、第二のレンズ１５による隠蔽効果への悪影響を最小限に抑えつつ、第二のレンズ１５の集光効果により輝度を上昇させることが可能になる。Δ２＝０は、第二のレンズの間隙部分が存在しないことを示す。Δ２≠０の場合、第二のレンズ１５の間に平坦面が存在するので、輝度が低下し、なおかつ隠蔽性が悪化するため望ましくない。
【００５９】
図１２（Ａ）は、第二のレンズ１５と、第二のレンズ１５の間に第一のレンズ１４が直交するように配列される隠蔽構造体８の斜視図、図１２（Ｂ）は、第一の方向に平行に切断したときの断面図である。
【００６０】
第一のレンズ１４の単一レンズピッチをＱ１、配列ピッチをＱ１＋Δ１、第一のレンズの高さをＨ１、第二のレンズ１５の単一レンズピッチをＱ２、配列ピッチをＱ２＋Δ２、第二のレンズの高さをＨ２としたとき、以下の式４を満たすように各パラメータを設定することで、輝度上昇効果と隠蔽性のどちらかを悪化させることなく、両立させることが可能になる。
【００６１】
【数９】
0005531631.tif 000010
【００６２】
式４は、図１２に示すように、第二のレンズ１５の間隙部分に第一のレンズ１４を配列する場合に、輝度と隠蔽性の両方を両立させるための必要条件である。第二のレンズ１５の間隙の距離Δ２が式４で指定する範囲内にあれば、第一のレンズ１４が突出する面積を適度に大きくすることが可能であるため、第一のレンズ１４による隠蔽効果が十分に発揮される。また、第二のレンズ１５の突出する面積が、第一のレンズ１４の突出する面積と比べて相対的に小さいので、第二のレンズ１５による隠蔽効果への悪影響を最小限に抑えつつ、第二のレンズ１５の集光効果により輝度を上昇させることができる。Δ１＝０は、第一のレンズ１４の間隙部分が存在しないことを示す。Δ１≠０の場合、第一のレンズ１４の間に平坦面が存在するので、輝度が低下し、なおかつ隠蔽性が悪化するため望ましくない。
【００６３】
ところで、第一のレンズ１４により広がる光と、第二のレンズ１５により広がる光が重なり合うと、強い輝点が発生し隠蔽性が悪化する場合がある。図１３は、第一のレンズ１４がレンチキュラーレンズ、第二のレンズ１５がプリズム形状の場合に、第一の方向に隣り合う二つの光偏向要素１８ａと１８ｂの光の広がりを表したものである。
光偏向要素１８ａは、隠蔽構造体８の第一のレンズ１４により線状スポットＳ１ａと、第二のレンズ１５により点状スポットＳ２ａに変換される。光偏向要素１８ｂは、隠蔽構造体８の第一のレンズ１４により線状スポットＳ１ｂと、第二のレンズ１５により点状スポットＳ２ｂに変換される。
隣り合う光偏向要素１８ａ、１８ｂから発生する点状スポットと線状スポットが重なる場合、つまり、スポットＳ１ａとスポットＳ２ｂもしくはスポットＳ１ｂとスポットＳ２aが互いに重なる場合、重なった部分が強い輝点となって隠蔽性が悪化する場合がある。また、この場合、光偏向要素１８ａと１８ｂの間に光が広がらないため、第一の方向に平行な方向で明暗差が強く発生してしまうことも、隠蔽性悪化の要因となる。
点状スポットＳ２aとＳ２ｂが互いに重なる場合もありうるが、この場合は、光偏向要素１８ａと１８ｂのちょうど中間部分で重なるため、光偏向要素１８ａと１８ｂの間の明るさが高まり、逆に隠蔽性は向上する。
【００６４】
点状スポットと線状スポットが重ならないためには、以下の条件が満たされればよい。つまり、導光板の厚みをｔ、光偏向要素１８の半径をｒ、Nを０以上の整数、点状スポットと線状スポットの距離をＤとすると、以下の式６
【００６５】
【数１０】
0005531631.tif 000011
【００６６】
で規定される範囲にＤが含まれればよい。Ｄがこの範囲内に存在するためには、第二のレンズ１５の任意の位置における傾斜角をβとすると、あらゆるβが以下の式５で規定される範囲内に含まれればよい。
【００６７】
【数１１】
0005531631.tif 000012
【００６８】
第二のレンズ１５は、必ずしもプリズムである必要は無く、例えば図１４に示すような断面形状が複数の直線部の組み合わせからなる多角形プリズムであっても良い。その場合、光偏向要素１８は、第二のレンズ１５によって図１５のように第一の方向に広がる複数の連なった点状のスポットＳ２a、Ｓ２ｂに変換される。この場合、単純な三角プリズムの場合と比べて点状のスポットが複数あるため、第一の方向に平行な方向での明暗差が目立ちにくくなり、隠蔽性が向上する。
【００６９】
第二のレンズ１５は、傾斜角の異なる三角プリズムを複数配列しても良い。それにより、前記多角形プリズムと同様に、光偏向要素１８が第二のレンズ１５により図１５に示したような第一の方向に広がる複数の連なった点状のスポットＳ２a、Ｓ２ｂに変換されるため、隠蔽性が向上する。
【００７０】
第二のレンズ１５は、好ましくは、任意の位置での傾斜角が４°以上４６°以下、もしくは、５２°以上７２°以下で規定される範囲内にあるのが望ましい。これは、導光板の厚み４ｍｍ、光偏向要素の半径ｒが０．１ｍｍ、光偏向要素の第一の方向への配列ピッチＰ１が１．５ｍｍの場合に、点状スポットと線状スポットが重ならないための傾斜角の範囲である。一般的に良く用いられる導光板は厚みが４ｍｍ〜５ｍｍ、光偏向要素の半径ｒは導光板の位置によっても異なるが、おおよそ０．１ｍｍ〜１ｍｍ、配列ピッチＰ１は、１ｍｍ〜２ｍｍ程度であるため、この計算結果は、導光板の厚み、配列ピッチが平均程度で、光偏向要素の半径ｒがかなり小さい場合の結果となる。光偏向要素の半径ｒを小さい値で計算したのは、ｒが小さいとスポットがある部分と無い部分で明暗差が強く出て、隠蔽性が悪化しやすいからである。
【００７１】
本発明の表示装置１において、隠蔽構造体８を構成する第二のレンズ１５と集光シート９を構成する三角プリズムレンズ２４とは、略直交する方向で配置されることが望ましい。特に表示装置１を観察する観察者から見た際に、画面の垂直視野方向に三角プリズムレンズ２４が配列され、水平視野方向に延在する第一のレンズ１４が配列されることが望ましい。
一般に表示装置１はある範囲の垂直視野と水平視野とを有することが望まれるが、特に大型な表示装置１としてテレビ用途を挙げる際、水平視野が広いことが望まれる。三角プリズムレンズ２４は集光性能が高い分、視野を狭くする。一方、第一のレンズ１４は拡散性能と集光性能とを両立する。従って、第一のレンズ１４を水平視野方向に配列することで、水平視野を極端に狭めることなく集光し、三角プリズムレンズ２４を垂直視野方向に配列することで、垂直視野は狭くなるが、高い集光効果を得ることが出来る。
【００７２】
このとき、隠蔽構造体８の第１主面１３ａに形成された第一のレンズ１４の延在方向と導光板７の光偏向要素１８が配置される第一の方向とが略一致させる。導光板７の光偏向面１７には、第一の方向の配列ピッチＰ１より、第二の方向の配列ピッチＰ２が大きくなるように光偏向要素１８が配置される。従って第一のレンズ１４の延在方向と第一の方向とが略一致することで、図７に示されるように、光偏向要素１８が第二の方向に線状化されるため、隠蔽性が向上するためである。
【００７３】
集光シート９を構成する線状レンズ２４は隠蔽構造体８を構成する第一のレンズ１４と略直交させても良い。しかしながら、線状レンズ２４が表示装置１の水平視野を集光することとなるため、線状レンズ２４は集光性能だけでなく、視野を狭くしないレンズ形状を選ぶことが重要である。例えば隠蔽構造体８を構成する第一のレンズ１４と同形状であっても良く、または式２から決定される別形状のレンズであっても良い。または丸みを帯びた三角プリズムレンズや、頂角が１００度〜１２０度程度の三角プリズムレンズなどが、視野を狭くせずに集光性能を得られるレンズとして挙げられる。
【００７４】
集光シート９を構成する線状レンズ２４と隠蔽構造体８を構成する第一のレンズ１４とを略平行としても良い。このとき、線状レンズ２４と第一のレンズ１４とのピッチが同程度の場合、モアレ干渉縞が生じるため望ましくない。線状レンズ２４と第一のレンズ１４とのピッチ比を少なくとも１：２より大きく、望ましくは１：３より大きな比とし、且つ、モアレ干渉縞が最も生じづらいピッチと設定することが望ましい。更に線状レンズ２４と第一のレンズ１４とを、数度傾けて配置しても良い。傾ける範囲としては０度以上２０度以下が望ましく、更には１０度以下が望ましい。２０度を超えて傾けた場合、表示装置１の視野分布が歪となるため望ましくない。
【００７５】
本発明の照明ユニット３を構成する隠蔽構造体８は、透光性の基材１３の第一主面１３ａに、第一のレンズ１４、及び第二のレンズ１５が、UV硬化樹脂や放射線硬化樹脂等を用いて成形されるか、またはＰＥＴ（ポリエチレンテレフタレート）、ＰＣ（ポリカーボネート）、ＰＭＭＡ（ポリメチルメタクリレート）、ＣＯＰ（シクロオレフィンポリマー）、ＰＡＮ（ポリアクリロニトリル共重合体）、ＡＳ（アクリロニトリルスチレン共重合体）等を用いて、当該技術分野では良く知られている押出成形法、射出成型法、あるいは熱プレス成型法によって一体で形成する。
【００７６】
画像表示素子１２は、画素単位で光を透過／遮光して画像を表示する素子であることが好ましい。画素単位で光を透過／遮光して画像を表示するものであれば、本発明の照明装置３により、観察者側Ｆへの輝度が向上され、光強度の視角度依存性が低減され、さらに、光偏向要素１８の視認性が低減された光を有効に利用して、画像品位の高い画像を表示させることができる。
画像表示素子１２は、液晶表示素子であることが好ましい。液晶表示素子は、画素単位で光を透過／遮光して画像を表示する代表的な素子であり、他の表示素子に比べて、画像品位を高くすることができるとともに、製造コストを低減することができる。
【実施例】
【００７７】
＜隠蔽構造体の作製＞
隠蔽構造体８の材料としてポリカーボネート樹脂を用いた。ポリカーボネート樹脂は屈折率が約１．５９と高いため、より集光性能、及び拡散性能が高い隠蔽構造体８を得ることが出来る。隠蔽構造体８の第一のレンズ１４、第二のレンズ１５は、ポリカーボネート樹脂を用いて、押出成形により形成した。
＜面光源装置の作製＞
面光源装置４を以下のように作製した。
まず、４ｍｍ厚の導光板７を用意し、光源６としてＬＥＤを、導光板７の側面４辺に設置した。導光板７の光偏向面１７には、白色の反射インキを印刷法によって形成した。白色の反射インキは、光偏向面１７に規則的に配置し、光源６が設置されている端面に近いほど大きさを小さく、導光板７中心に近づくほど大きさを大きくしたものである。白色の反射インキの配列方向は、第１の方向と表示装置１の画面垂直方向とを一致させ、第一の方向の配列ピッチＰ１を約１．１５ｍｍ、第二の方向の配列ピッチＰ２を約２ｍｍピッチとした。導光板７の光偏向面１７側には反射シート５を配置し、面光源装置４が得られた。
＜照明装置の作製＞
照明装置２を以下のようにして作製した。
まず、面光源装置４の光射出面側に隠蔽構造体８を配置し、照明ユニット３を作製した。隠蔽構造体８は、凸レンチキュラーレンズが延在する方向と、導光板７の光偏向要素１８が配列される第一の方向とを一致させた。さらに、隠蔽構造体８の上に、集光シート９としてＢＥＦ（３Ｍ社製）を、三角プリズムレンズの延在する方向と、隠蔽構造体８を構成する凸レンチキュラーレンズの延在する方向とが平行になるように配置し、更にその上に偏光分離反射シート２８としてＤＢＥＦ（３Ｍ社製）を配置し、照明装置２が得られた。
＜輝度評価について＞
以下で述べる方法で、作製した隠蔽構造体８の輝度評価を行った。
最初に、隠蔽構造体８の第一のレンズ１４と同形状の凸レンチキュラーレンズが、平坦部が存在しないように配列したシートをリファレンス用シートとして別途作製した。作製方法は、隠蔽構造体８と同じく、ポリカーボネート樹脂の押し出し成型で作製した。
面光源装置４に前記リファレンス用シートを載せ、その上にＢＥＦを三角プリズムレンズの延在する方向がリファレンス用シートのレンズが延在する方向と平行になるように配置し、さらにその上にＤＢＥＦを載せ、正面輝度の測定を行った。正面輝度の測定は、ＴＯＰＣＯＮ製分光放射輝度計ＳＲ３を使用した。このとき測定された輝度値をＩrefとする。
次に、面光源装置４に隠蔽構造体８を載せ、その上にＢＥＦを三角プリズムの延在する方向が第一のレンズ１４が延在する方向と平行になるように配置し、さらにその上にＤＢＥＦを載せて照明装置２を組み立て、正面輝度の測定を行った。このとき測定された輝度値をＩ0とする。
計算式 Ｉ0/Ｉref より、隠蔽構造体８の輝度比を算出した。輝度比が１．０１以上の値が得られたものに関して、輝度上昇効果が○との判定を行った。輝度比がそれよりも小さい場合、測定誤差との切り分けが難しいので、輝度上昇効果は×と判定した。
＜隠蔽性評価について＞
隠蔽性の評価は、照明装置２を目視で見たときに、白色の反射インキが視認されるかどうか確認し、視認された場合は×、視認されない場合は○とした。
【００７８】
（実施例１）
第一のレンズ１４として凸レンチキュラーレンズを形成した。さらに、第一のレンズ１４の間には、第一のレンズ１４よりも高さの低い第二のレンズ１５を直交するように配列した。
凸レンチキュラーレンズは、式２から定義し、単位ピッチＱ１を１００μｍ、配列ピッチＱ１＋Δ１を１０５μｍ（Δ１/Ｑ１≒０．０５）、頂部フィッティング曲率半径Ｒ１が４０μｍ、単位レンズ高さＨ１が４０μｍとした。
さらに、第一のレンズ１４の間には、第一のレンズ１４よりも高さの低い第二のレンズ１５を直交するように配列した。第二のレンズ１５は、単位ピッチＱ２が２０μｍ、配列ピッチＱ２＋Δ２が２０μｍ（Δ２＝０）、頂角が９０°のプリズムとした。
【００７９】
（実施例２）
第一のレンズ１４の配列ピッチＱ１＋Δ１を１１１μｍ（Δ１/Ｑ１≒０．１）に変更し、その他のパラメータは実施例１と同様の隠蔽構造体８を作製した。
【００８０】
（実施例３）
第一のレンズ１４の配列ピッチＱ１＋Δ１を１２５μｍ（Δ１/Ｑ１＝０．２）に変更し、その他のパラメータは実施例１と同様の隠蔽構造体８を作製した。
【００８１】
（比較例１）
第一のレンズ１４の配列ピッチＱ１＋Δ１を１０２μｍ（Δ１/Ｑ１≒０．０２）に変更し、その他のパラメータは実施例１と同様の隠蔽構造体８を作製した。
【００８２】
（比較例２）
第一のレンズ１４の配列ピッチＱ１＋Δ１を１４２μｍ（Δ１/Ｑ１≒０．３）に変更し、その他のパラメータは実施例１と同様の隠蔽構造体８を作製した。
【００８３】
実施例１〜３、比較例１〜２における、輝度と隠蔽性の評価結果を表１にまとめた。
【００８４】
【表１】
0005531631.tif 000013
【００８５】
（実施例４）
隠蔽構造体８の第１主面１３ａに、第二のレンズ１５として、単位ピッチＱ２が２０μｍ、配列ピッチＱ２＋Δ２が６０μｍ（Δ２/Ｑ２≒０．６７）、頂角が９０°のプリズムを形成した。
さらに、第二のレンズ１５の間には、第二のレンズ１５よりも高さの低い第一のレンズ１４を直交するように配列した。
第一のレンズ１４として凸レンチキュラーレンズを形成した。凸レンチキュラーレンズは、式２から定義し、単位ピッチＱ１が２０μｍ、配列ピッチＱ１＋Δ１が２０μｍ、頂部フィッティング曲率半径Ｒ１が８μｍ、単位レンズ高さＨ１が８μｍとした。
【００８６】
（実施例５）
第二のレンズ１５の配列ピッチＱ２＋Δ２を１００μｍ（Δ２/Ｑ２＝０．８）に変更し、その他のパラメータは実施例４と同様の隠蔽構造体８を作製した。
【００８７】
（比較例３）
第二のレンズ１５の配列ピッチＱ２＋Δ２を４０μｍ（Δ２/Ｑ２＝０．５）に変更し、その他のパラメータは実施例４と同様の隠蔽構造体８を作製した。
【００８８】
（比較例４）
第二のレンズ１５の配列ピッチＱ２＋Δ２を１２０μｍ（Δ２/Ｑ２＝０．８３）に変更し、その他のパラメータは実施例４と同様の隠蔽構造体８を作製した。
【００８９】
実施例４〜５、比較例３〜４における、輝度と隠蔽性の評価結果を表２にまとめた。
【００９０】
【表２】
0005531631.tif 000014
【００９１】
実施例１〜５、比較例１〜４で形成した第一のレンズ１４と第二のレンズ１５の集光能力の比較を行った。
第一のレンズ１４が配列したシート（リファレンス用シート）と、第二のレンズ１５（頂角９０°のプリズム）が配列したシートを、それぞれ用意した。それらのシートを面光源装置４の上に配置し、正面輝度を測定した。
第一のレンズ１４を配列したシートの輝度をＩ１、第二のレンズ１５を配列したシートの輝度をＩ２とすると、測定の結果、Ｉ２/Ｉ１ は１．２０となり、第二のレンズ１５の集光能力が、第一のレンズ１４の集光能力と比べて十分に高いことが確認できた。
【００９２】
（実施例６）
隠蔽構造体８の第一主面１３ａに、第一のレンズ１４として凸レンチキュラーレンズを形成した。凸レンチキュラーレンズは、式２から定義し、単位ピッチＱ１を１００μｍ、配列ピッチＱ１＋Δ１を１０５μｍ（Δ１/Ｑ１≒０．０５）、頂部フィッティング曲率半径Ｒ１が４０μｍ、単位レンズ高さＨ１が４０μｍとした。
さらに、第一のレンズ１４の間には、第一のレンズ１４よりも高さの低い第二のレンズ１５を直交するように配列した。第二のレンズ１５は、凸レンチキュラーレンズを形成した。凸レンチキュラーレンズは、式２から定義し、単位ピッチＱ２を４０μｍ、配列ピッチＱ２＋Δ２を４０μｍ（Δ２＝０μｍ）、頂部フィッティング曲率半径Ｒ２が７μｍ、単位レンズ高さＨ２が２２μｍとした。
【００９３】
（実施例７）
第一のレンズ１４の配列ピッチＱ１＋Δ１を１１１μｍ（Δ１/Ｑ１≒０．１）に変更し、その他のパラメータは実施例６と同様の隠蔽構造体８を作製した。
【００９４】
（実施例８）
第一のレンズ１４の配列ピッチＱ１＋Δ１を１２５μｍ（Δ１/Ｑ１＝０．２）に変更し、その他のパラメータは実施例６と同様の隠蔽構造体８を作製した。
【００９５】
（比較例５）
第一のレンズ１４の配列ピッチＱ１＋Δ１を１０２μｍ（Δ１/Ｑ１≒０．０２）に変更し、その他のパラメータは実施例６と同様の隠蔽構造体８を作製した。
【００９６】
（比較例６）
第一のレンズ１４の配列ピッチＱ１＋Δ１を１４２μｍ（Δ１/Ｑ１≒０．３）に変更し、その他のパラメータは実施例６と同様の隠蔽構造体８を作製した。
【００９７】
実施例６〜８、比較例５〜６における、輝度と隠蔽性の評価結果を表３にまとめた。
【００９８】
【表３】
0005531631.tif 000015
【００９９】
測定にあたって、実施例１と同様の方法で、隠蔽構造体８の第一のレンズ１４と第二のレンズ１５の集光能力の比較を行った。
その結果、Ｉ２/Ｉ１は１．１１が得られ、第二のレンズ１５の集光能力が第一のレンズ１４の集光能力よりも十分高いことが確認できた。
【符号の説明】
【０１００】
Ｋ…光、Ｆ、Ｆ'…観察者側、１…表示装置、２…照明装置、３…照明ユニット、
４…面光源装置、５…反射板、６…光源、７…導光板、８…隠蔽構造体、９…集光シート、１０…偏光板、１１…液晶、１２…画像表示素子、１３…基材、１３ａ…第一主面、
１３ｂ…第二主面、１４…第一のレンズ、１５…第二のレンズ、１７…光偏向面、
１８…光偏向要素、２３…基材、２４…線状レンズ、２８…偏光分離シート、
Ｑ１…第一のレンズの単位ピッチ、Δ１…第一のレンズの間隙、
Ｑ１＋Δ１…第一のレンズの配列ピッチ、
Ｑ２…第二のレンズの単位ピッチ、Δ２…第二のレンズの間隙、
Ｑ２＋Δ２…第二のレンズの配列ピッチ、
Ｓ１ａ、Ｓ１ｂ…第一のレンズによる線状スポット、
Ｓ２ａ、Ｓ２ｂ…第二のレンズによる点状スポット
【図１】
0005531631.tif 000021
【図２】
0005531631.tif 000022
【図３】
0005531631.tif 000023
【図４】
0005531631.tif 000024
【図５】
0005531631.tif 000025
【図６】
0005531631.tif 000026
【図７】
0005531631.tif 000027
【図８】
0005531631.tif 000028
【図９】
0005531631.tif 000029
【図１０】
0005531631.tif 000030
【図１１】
0005531631.tif 000031
【図１２】
0005531631.tif 000032
【図１３】
0005531631.tif 000033
【図１４】
0005531631.tif 000034
【図１５】
0005531631.tif 000035
【図１６】
0005531631.tif 000036
【図１７】
0005531631.tif 000037